【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
複数のアンカと、
該アンカに対して連結されると共に前記アンカを互いに対して付勢する少なくとも１つの弾性的な閉塞要素と、
前記アンカに対して前記閉塞要素を連結して、前記アンカを組織内へと駆動するように構成された駆動器と、を具備し、
前記閉塞要素は、前記組織内へと駆動された前記アンカを互いに対して付勢するに十分な弾性を有することにより、前記組織内へと駆動された前記アンカ間に配置された前記組織における開孔を閉塞し、且つ、前記アンカに及ぼされて前記アンカを離間すべく付勢する対向力に抗するデバイス。
【請求項２】
前記対向力は、（ａ）前記組織、（ｂ）体液流、（ｃ）空気圧力、（ｄ）水圧、及び、（ｅ）外部力の内の少なくとも１つにより前記アンカに対して及ぼされる請求項１に記載のデバイス。
【請求項３】
複数のスプリング負荷部材を有する安全解放機構であって、前記スプリング負荷部材の各々が係合位置と係合解除位置との間で独立的に移動可能であり、当該安全解放機構は、前記スプリング負荷部材の全てが前記係合位置に在るのでなければ、前記駆動器が前記アンカを駆動することを阻止するように構成された安全解放機構をさらに具備する請求項１に記載のデバイス。
【請求項４】
前記アンカの各々は、それぞれの該アンカが遠位方向において前記組織内へと駆動されたときに前記組織を穿刺するように構成された遠位端を有する長寸本体を含む請求項１に記載のデバイス。
【請求項５】
前記アンカの各々は、該アンカが前記組織内へと駆動された後で該アンカの近位方向移動に抗するように構成された係留用突出部を有する請求項４に記載のデバイス。
【請求項６】
前記係留用突出部が、翼部であって当該翼部と前記長寸本体との間の接続部から近位方向及び径方向に延在して自由端部に至る翼部である請求項５に記載のデバイス。
【請求項７】
前記翼部が、該翼部の前記自由端部において近位方向に延在する複数の食い込み用突出部を有する請求項６に記載のデバイス。
【請求項８】
前記翼部が、前記長寸本体内へと径方向内方に且つ遠位方向に進展する切り込みにより形成される請求項６に記載のデバイス。
【請求項９】
前記長寸本体及び前記翼部が長手方向に延在する複数の波形部を有し、該波形部は前記翼部の自由端部にて近位方向に延在する複数の食い込み用突出部を提供する請求項８に記載のデバイス。
【請求項１０】
前記アンカの各々は、該アンカが前記組織内へと駆動された後で該アンカの近位方向移動に抗するように構成された第１及び第２の係留用突出部を有し、該第１及び第２の係留用突出部は、前記長寸本体の丈に沿い互いにオフセットされたそれぞれの位置に配設される請求項４に記載のデバイス。
【請求項１１】
前記第１及び第２の係留用突出部は、前記長寸本体内へと径方向内方に且つ遠位方向に進展し且つ前記長寸本体の丈に沿い互いにオフセットされたそれぞれの箇所にて終端する第１及び第２の切り込みによりそれぞれ形成される第１及び第２の翼部である請求項１０に記載のデバイス。
【請求項１２】
前記閉塞要素が、バンド、弾性的バンド、及び、シリコーンで形成されたバンドの内の少なくとも１つを含む請求項１に記載のデバイス。
【請求項１３】
前記アンカの各々が、前記バンドを受容するように構成されたフック状突出部を有する請求項１２に記載のデバイス。
【請求項１４】
前記フック状突出部は、前記バンドが前記アンカの前記近位端から離間移動することを阻止することにより、前記バンドと前記アンカとの間の係合を維持するように構成された請求項１３に記載のデバイス。
【請求項１５】
当該デバイスが、複数の閉塞要素を有する請求項１に記載のデバイス。
【請求項１６】
前記複数の閉塞要素の各々が、２つ以上の前記アンカに接触する請求項１５に記載のデバイス。
【請求項１７】
前記閉塞要素の各々が、重なり合う２つのＶ形状構成のパターンを形成する請求項１５に記載のデバイス。
【請求項１８】
複数の前記閉塞要素が３つ以上の前記アンカに接触する請求項１５に記載のデバイス。
【請求項１９】
少なくとも１つの前記閉塞要素が、３つの前記アンカを連結する単体的なＶ形状要素を有する請求項１に記載のデバイス。
【請求項２０】
当該デバイスは、各々が３つの前記アンカに接触するように構成された２つの単体的なＶ形状閉塞要素を有する請求項１に記載のデバイス。
【請求項２１】
前記２つのＶ形状閉塞要素は重なり合うことで菱形状の作用窓部を形成する請求項２０に記載のデバイス。
【請求項２２】
案内ワイヤを受容するように構成された中心合わせ要素をさらに具備する請求項１に記載のデバイス。
【請求項２３】
前記中心合わせ要素が管状シャフトである請求項２２に記載のデバイス。
【請求項２４】
前記アンカが第１形態においてリング状円周に沿い配設される請求項１に記載のデバイス。
【請求項２５】
前記閉塞要素が、一本以上の管体により、前記リング状円周内に延在することが阻止される請求項２４に記載のデバイス。
【請求項２６】
前記駆動器が、複数の前記アンカを同時に駆動するように構成された請求項１に記載のデバイス。
【請求項２７】
前記駆動器が、前記アンカに衝当し、遠位方向に向けられた運動量を該アンカ対して付与するように構成されたスプリング負荷要素を備えて成る請求項２６に記載のデバイス。
【請求項２８】
前記複数のアンカを駆動するために、前記スプリング負荷要素を事前負荷位置から解放するように構成されたトリガをさらに具備する請求項２７に記載のデバイス。
【請求項２９】
取手をさらに具備し、前記トリガが前記取手内に配設される請求項２７に記載のデバイス。
【請求項３０】
前記取手、前記トリガ、及び、前記駆動器が、前記カニューレ、前記外側作用管体、前記複数のアンカ、及び、前記各閉塞要素から取り外し可能である請求項２８に記載のデバイス。
【請求項３１】
前記複数のアンカ及び前記閉塞要素が、生体吸収可能材料で形成される請求項１に記載のデバイス。
【請求項３２】
複数のアンカと、
該アンカに対して連結されると共に前記アンカを互いに対して付勢する少なくとも１つの弾性的な閉塞要素と、を具備し、
前記閉塞要素は、前記組織内へと駆動された前記アンカを互いに対して付勢するに十分な弾性を有することにより、前記組織内へと駆動された前記アンカ間に配置された前記組織における開孔を閉塞し、且つ、前記アンカに及ぼされて各アンカを離間すべく付勢する対向力に抗するデバイス。
【請求項３３】
前記対向力は、（ａ）前記組織、（ｂ）体液流、（ｃ）空気圧力、（ｄ）水圧、及び、（ｅ）外部力の内の少なくとも１つにより前記アンカに対して及ぼされる請求項３２に記載のデバイス。
【請求項３４】
複数のアンカを組織内へと植設する段階と、
植設された前記アンカに対して連結された少なくとも１つの弾性的な閉塞要素により、（ａ）植設された前記アンカ間に配置された前記組織における開孔を閉塞するために、且つ、（ｂ）植設された前記アンカに及ぼされる対向力であって、前記アンカを付勢して離間させ且つ前記開孔を付勢して開く対向力に抗するために十分な力で以て、前記アンカを互いに対して付勢する段階と、を含む方法。
【請求項３５】
前記対向力は、（ａ）前記組織、（ｂ）体液流、（ｃ）空気圧力、（ｄ）水圧、及び、（ｅ）外部力の内の少なくとも１つにより前記アンカに対して及ぼされる請求項３４に記載の方法。
【請求項３６】
複数のアンカを組織内へと植設する段階と、
植設された前記アンカに対して連結された少なくとも１つの弾性的な閉塞要素により、前記アンカを互いに対して付勢する段階と、
植設された前記アンカの間において前記組織に開孔を形成する段階であって、前記弾性的な閉塞要素は、（ａ）前記組織における前記開孔を閉塞位置に維持するために、且つ、（ｂ）植設された前記アンカに及ぼされる対向力であって、前記アンカを付勢して離間させ且つ前記開孔を付勢して開く対向力に抗するために、十分な力で以て、植設された前記アンカを互いに対して且つ前記開孔に対して付勢する段階と、
前記開孔を貫通して器具を挿入する段階と、
前記器具を前記開孔から取出した後、再び、前記弾性的な閉塞要素により、（ａ）前記組織における前記開孔を閉塞位置に維持するために、且つ、（ｂ）植設された前記アンカに及ぼされる対向力であって、前記アンカを付勢して離間させ且つ前記開孔を付勢して開く対向力に抗するために、十分な力で以て、植設された前記アンカを互いに対して且つ前記開孔に対して付勢する段階と、を含む方法。
【請求項３７】
前記対向力は、（ａ）前記組織、（ｂ）体液流、（ｃ）空気圧力、（ｄ）水圧、及び、（ｅ）外部力の内の少なくとも１つにより前記アンカに対して及ぼされる請求項３６に記載の方法。
【請求項３８】
組織内に開孔を形成する段階と、
前記開孔を貫通して中心合わせデバイスを挿入する段階と、
前記組織内へと複数のアンカを植設し、前記中心合わせデバイスを用いて前記アンカを前記開孔の回りに中心合わせする段階と、
植設された前記アンカに対して連結された少なくとも１つの弾性的な閉塞要素により、前記アンカを互いに対して且つ前記開孔に対して付勢する段階と、
前記開孔を貫通して器具を挿入する段階と、
前記器具を前記開孔から取出した後、再び、前記弾性的な閉塞要素により、（ａ）前記組織における前記開孔を閉塞位置に維持するために、且つ、（ｂ）植設された前記アンカに及ぼされる対向力であって、前記アンカを付勢して離間させ且つ前記開孔を付勢して開く対向力に抗するために、十分な力を以て、植設された前記アンカを互いに対して且つ前記開孔に対して付勢する段階と、を含む方法。
【請求項３９】
前記対向力は、（ａ）前記組織、（ｂ）体液流、（ｃ）空気圧力、（ｄ）水圧、及び、（ｅ）外部力の内の少なくとも１つにより前記アンカに対して及ぼされる請求項３８に記載の方法。